(57)【要約】【課題】  維持放電中に保護膜の破損による永久残像の発生を防止する構造を有するＰＤＰを提供する。【解決手段】  前面基板の後方に放電セル毎に一方向に延びた透明Ｘ電極を備えたＸ電極と、前面基板の後方に放電セル毎に透明Ｘ電極と平行に延びた透明Ｙ電極を備える複数のＹ電極と、透明Ｘ電極と透明Ｙ電極のそれぞれの放電セルの中央側端部に接すべく配され、不透明なＸ遮光層及びＹ遮光層と、前面基板の裏面、Ｘ、Ｙ電極、及びＸ、Ｙ遮光層を覆う第１誘電体層と、第１誘電体層の背面に塗布された保護膜と、放電セル内に配された蛍光体層及び放電セル内に充填された放電ガスとを備えるＰＤＰである。【選択図】  図２
2006114479.tif 000002
【特許請求の範囲】
【請求項１】
相対向する前面基板及び背面基板と、前記前面基板と背面基板との間に配されて前記前面基板及び背面基板と共に放電セルを区画する隔壁と、前記放電セル内で放電を起こす複数の電極とを備えるプラズマディスプレイパネルであって、
前記前面基板の後方に、前記放電セル毎に一方向に延びた透明Ｘ電極を備えたＸ電極と、
前記前面基板の後方に、前記放電セル毎に前記透明Ｘ電極とギャップを有して平行に延びた透明Ｙ電極を備える複数のＹ電極と、
前記透明Ｘ電極と前記透明Ｙ電極それぞれのギャップ側端部に接すべく配され、不透明なＸ遮光層及びＹ遮光層と、
前記前面基板の裏面、前記Ｘ、Ｙ電極、及び前記Ｘ、Ｙ遮光層を覆う第１誘電体層と、
前記第１誘電体層の背面に塗布された保護膜と、
前記放電セル内に配された蛍光体層と、
前記放電セル内の空間に配された放電ガスと、
を備えるプラズマディスプレイパネル。
【請求項２】
前記Ｘ電極は、前記透明Ｘ電極の裏面の一側に前記透明Ｘ電極の電極ライン抵抗を補償するように配されたバスＸ電極を備え、
前記Ｙ電極は、前記透明Ｙ電極の背面の一側に前記透明Ｙ電極の電極ライン抵抗を補償するように配されたバスＹ電極を備えることを特徴とする請求項１に記載のプラズマディスプレイパネル。
【請求項３】
前記Ｘ遮光層は、導電性を有し、前記透明Ｘ電極のギャップ側端部の裏面に積層され、
前記Ｙ遮光層は導電性を有し、前記透明Ｙ電極のギャップ側端部の裏面に積層されることを特徴とする請求項２に記載のプラズマディスプレイパネル。
【請求項４】
前記Ｘ遮光層及びＹ遮光層は、各々前記バスＸ電極及びバスＹ電極と同じ素材よりなることを特徴とする請求項３に記載のプラズマディスプレイパネル。
【請求項５】
前記Ｘ遮光層は導電性を有し、前記透明Ｘ電極のギャップ側端部の裏面に積層され、
前記Ｙ遮光層は導電性を有し、前記透明Ｙ電極のギャップ側端部の裏面に積層されることを特徴とする請求項１に記載のプラズマディスプレイパネル。
【請求項６】
前記各放電セルは、その内部に赤色、緑色及び青色の可視光線を発生させる赤色、緑色、青色蛍光体層のうち、何れか１つが塗布された赤色、緑色及び青色放電セルのうちの１つであり、
前記赤色、緑色及び青色放電セル内に配されたＸ、Ｙ遮光層はその長さが相異なることを特徴とする請求項１に記載のプラズマディスプレイパネル。
【請求項７】
前記Ｘ、Ｙ遮光層の幅は、前記赤色放電セル内に配されたＸ、Ｙ遮光層、前記緑色放電セル内に配されたＸ、Ｙ遮光層、前記青色放電セル内に配されたＸ、Ｙ遮光層の順に広いことを特徴とする請求項６に記載のプラズマディスプレイパネル。
【請求項８】
前記青色放電セル内に配されたＸ、Ｙ遮光層の長さは、最長５０μｍ以下であり、前記赤色放電セル内に配されたＸ、Ｙ遮光層の長さは、最長１２０μｍ以下であることを特徴とする請求項７に記載のプラズマディスプレイパネル。
【請求項９】
前記背面基板の前面にはアドレス電極が配され、前記アドレス電極と共に前記背面基板の前面を覆うように前記背面基板の前方に形成された第２誘電体層をさらに備えることを特徴とする請求項１に記載のプラズマディスプレイパネル。
【請求項１０】
相互対向すべく配された前面基板及び背面基板と、前記前面基板及び背面基板の間で前記前面基板及び背面基板と共に放電セルを区画する隔壁と、前記放電セル内で放電を起こす複数の電極とを備えるプラズマディスプレイパネルであって、
前記前面基板の後方に前記放電セル毎に一方向に延びた透明Ｘ電極を備えたＸ電極と、前記前面基板の後方に前記放電セル毎に前記透明Ｘ電極とギャップを持って平行に延びた透明Ｙ電極を備えた複数のＹ電極と、前記透明Ｘ電極と前記透明Ｙ電極それぞれのギャップ側端部に接すべく配されて不透明なＸ遮光層及びＹ遮光層と、前記前面基板の裏面と前記Ｘ、Ｙ電極と前記Ｘ、Ｙ遮光層を覆う第１誘電体層と、前記各放電セル毎に赤色、緑色及び青色の可視光線のうち何れか１つを発生させる赤色、緑色、青色蛍光体層と、前記放電セル内に充填された放電ガスと、を備え、
前記赤色蛍光体層が塗布された赤色放電セルと、前記緑色蛍光体層が塗布された緑色放電セルと、前記青色蛍光体層が塗布された青色放電セルの内部に各々配されたＸ、Ｙ遮光層は、その長さが相異なることを特徴とするプラズマディスプレイパネル。
【請求項１１】
前記Ｘ、Ｙ遮光層の幅は、前記赤色放電セル内に配されたＸ、Ｙ遮光層、前記緑色放電セル内に配されたＸ、Ｙ遮光層、前記青色放電セル内に配されたＸ、Ｙ遮光層の順に広いことを特徴とする請求項１０に記載のプラズマディスプレイパネル。
【請求項１２】
前記青色放電セル内に配されたＸ、Ｙ遮光層の長さは、最長５０μｍ以下であり、前記赤色放電セル内に配されたＸ、Ｙ遮光層の長さは、最長１２０μｍ以下であることを特徴とする請求項１１に記載のプラズマディスプレイパネル。
【請求項１３】
前記Ｘ遮光層は導電性を有し、前記透明Ｘ電極のギャップ側端部の裏面に積層され、
前記Ｙ遮光層は導電性を有し、前記透明Ｙ電極のギャップ側端部の裏面に積層されることを特徴とする請求項１１に記載のプラズマディスプレイパネル。
【請求項１４】
前記Ｘ電極は、前記透明Ｘ電極の裏面の一側に前記透明Ｘ電極のライン抵抗を補償するように配されたバスＸ電極を備え、
前記Ｙ電極は、前記透明Ｙ電極の裏面の一側に前記透明Ｙ電極のライン抵抗を補償するように配されたバスＹ電極を備えることを特徴とする請求項１３に記載のプラズマディスプレイパネル。
【請求項１５】
前記Ｘ遮光層及びＹ遮光層は、各々前記バスＸ電極及びバスＹ電極と同じ素材よりなることを特徴とする請求項１４に記載のプラズマディスプレイパネル。
【請求項１６】
前記背面基板の前面にはアドレス電極が配され、前記アドレス電極と共に前記背面基板の前面を覆うように前記背面基板の前方に形成された第２誘電体層をさらに備えることを特徴とする請求項１０に記載のプラズマディスプレイパネル。
【請求項１７】
前記第１誘電体層の背面には保護膜が塗布されることを特徴とする請求項１０に記載のプラズマディスプレイパネル。
【発明の詳細な説明】
【技術分野】
【０００１】
本発明はプラズマディスプレイパネルに係り、特に、相対向する一対の基板の一方の面にそれぞれの電極を形成し、基板間の空間に放電ガスを注入した状態で所定の電源を印加して放電空間で発生する紫外線によって発光された光を用いて画像を表示するプラズマディスプレイパネル（Ｐｌａｓｍａ  Ｄｉｓｐｌａｙ  Ｐａｎｅｌ：以下、ＰＤＰという。）に関する。
【背景技術】
【０００２】
ＰＤＰは、放電形式によって直流型と交流型とに分類される。直流型ＰＤＰでは電極が放電空間に露出され、荷電粒子の移動が対応電極間で直接的になされ、交流型ＰＤＰでは少なくとも一電極が誘電体層で覆われており、対応電極の直接的な電荷の移動の代わりに、壁電荷の電界によって放電が行われる。
【０００３】
図７は、通常の交流型ＰＤＰの単位ピクセルの内部断面を示す図面である。図７を参照すれば、ＰＤＰ１０は、画像を表示する上板１１及び前記上板と対向して配される下板２１を備える。
【０００４】
上板１１は、前面基板１２及び維持電極対１３を備える。前面基板１２は、通常ガラス板からなっており、その背面には１つの単位ピクセル毎に対をなす維持電極対１３が配される。維持電極対１３は、Ｘ電極１４及びＹ電極１５に区分される。Ｘ電極１４は、透明Ｘ電極１４ａ及びこの透明Ｘ電極１４ａの一側に形成されたバスＸ電極１４ｂよりなっており、Ｙ電極１５は透明Ｙ電極１５ａ及びこの透明Ｙ電極１５ａの一側に形成されたバスＹ電極１５ｂよりなる。
【０００５】
下板２１は、背面基板２２及び複数のアドレス電極２３を備える。前記背面基板２２は前面基板１２と対向すべく配され、前記背面基板２２の前面にはアドレス電極２３が前記前面基板１２の維持電極対１３と交差するように配される。
【０００６】
このように維持電極対１３が備えられた前面基板１２の裏面と、アドレス電極２３が備えられた背面基板２２の前面には、各電極を埋め込むように各々前面誘電体層１８及び背面誘電体層２８が形成される。前面誘電体層１８上（背面側）には、通常ＭｇＯよりなる保護膜１９が形成され、背面誘電体層２８上には放電距離を保持して放電セル間の電気光学的クロストークを防止し、放電セルを区画する複数の隔壁３１が形成される。
【０００７】
前記隔壁３１の両側面と、隔壁３１が形成されていない背面誘電体層２８の前面には赤色、緑色、青色の蛍光体３５が塗布される。
【０００８】
このような構造を有するＰＤＰ１０でＸ電極１４及びＹ電極１５間に維持放電が発生すれば、Ｘ電極１４ではＹ電極１５と近く配された部分での放電量が前記Ｙ電極に遠く配された部分より多くなる。これにより、Ｙ電極１５でも、Ｘ電極１４と近く配された部分での放電量が、Ｘ電極１４から相対的に遠く配された部分より多くなる。
【０００９】
したがって、Ｘ電極１４及びＹ電極１５の相互隣接する部分であるギャップ部分で維持放電量が多いが、前記維持放電が持続されるに伴って、前記ギャップ部分での維持放電量が過度に多くなる。これにより、ギャップ部分に対応する保護膜１９が相対的に大きく損傷される。
【００１０】
ところで、前面基板１２には輝度を高めるために、放電セルの中央部分は、通常ＩＴＯよりなる透明Ｘ電極１４ａ及び透明Ｙ電極１５ａが配されるが、前記透明電極を通じて肉眼で前記保護膜の損傷が観察されるという問題点がある。
【００１１】
一方、保護膜１９は、通常イオンスパッタリングから前面誘電体層１８を保護し、高い二次電子発生係数の特性を有して維持電圧及び駆動電圧を低める役割を行うが、前記Ｘ電極１４及びＹ電極１５の相互隣接する部分での保護膜の損傷によって、特にこの部分で発光効率が減少し、このような発光効率の低下によってＰＤＰ１０で全体として永久残像が起こるという問題点がある。
【００１２】
一方、赤色、緑色、青色の蛍光体３５から発生する可視光線は相異なる輝度比を有しており、赤、緑、青の蛍光体が塗布された放電セルでの維持放電数が同一であれば、最適の色温度を具現できない。
【００１３】
１つの放電セルで蛍光体の種類によって維持放電数を異ならせるために、前面誘電体層１８、または背面誘電体層１９の厚さを変更させるか、それぞれの放電セル毎に前面誘電体層１８と背面誘電体層１９との間の遊隔を変更させる方法を考慮しても良いが、これは最適の前面誘電体層の厚さ範囲及び前面及び背面誘電体層間の遊隔距離の変更範囲は一定の限界がある。特に、ＰＤＰが軽薄短小化される趨勢であるために、前記のような構造的変更はその効果がさらに低下する。
【発明の開示】
【発明が解決しようとする課題】
【００１４】
本発明は、維持放電中に保護膜の破損による永久残像の発生を防止する構造を有するＰＤＰを提供する。
【００１５】
また本発明は、それぞれの異なる色の可視光線を発生させる蛍光体層を備えたそれぞれの放電セルで、色温度を調節可能な構造を有するＰＤＰを提供する。
【課題を解決するための手段】
【００１６】
本発明の望ましい第１実施形態によるＰＤＰは、相互対向すべく配された前面基板及び背面基板と、前記前面基板と背面基板との間に配され、前記前面基板及び背面基板と共に放電セルを区画する隔壁と、前記放電セル内で放電を起こす複数の電極を備えるＰＤＰであって、Ｘ電極と、Ｙ電極と、Ｘ遮光層及びＹ遮光層と、第１誘電体層と、保護膜と、蛍光体層、及び放電ガスを備える。
【００１７】
Ｘ電極は、前記前面基板の後方に前記放電セル毎に一方向に延びた透明Ｘ電極を備える。Ｙ電極は、前記前面基板の後方に前記放電セル毎に前記透明Ｘ電極とギャップを持って平行に延びた透明Ｙ電極を備える。
【００１８】
Ｘ遮光層及びＹ遮光層は、前記透明Ｘ電極と前記透明Ｙ電極それぞれの放電セル中央側端部に接すべく配され、不透明である。
【００１９】
第１誘電体層は、前記前面基板の下面、前記Ｘ、Ｙ電極、及び前記Ｘ、Ｙ遮光層を覆う。
【００２０】
保護膜は、前記第１誘電体層背面に塗布される。
【００２１】
蛍光体層は、前記放電セル内に配される。
【００２２】
放電ガスは、前記放電セル内に充填される。
【００２３】
前記Ｘ電極は、前記透明Ｘ電極の背面の一側に前記透明Ｘ電極の電極ライン抵抗を補償するように配されたバスＸ電極をさらに備え、前記Ｙ電極は、前記透明Ｙ電極の裏面の一側に前記透明Ｙ電極の電極ライン抵抗を補償するように配されたバスＹ電極をさらに備えうる。
【００２４】
この場合、前記Ｘ遮光層は、導電性を有し、前記透明Ｘ電極のギャップ側端部の裏面に積層され、前記Ｙ遮光層は導電性を有し、前記透明Ｙ電極のギャップ側端部の裏面に積層され、前記Ｘ遮光層及びＹ遮光層は、各々前記バスＸ電極及びバスＹ電極と同じ素材よりなることが望ましい。
【００２５】
一方、本発明の第２実施形態によるＰＤＰは、前記前面基板の後方に前記放電セル毎に一方向に延びた透明Ｘ電極を備えたＸ電極と、前記前面基板の後方に前記放電セル毎に前記透明Ｘ電極とギャップを有して平行に延びた透明Ｙ電極を備えた複数のＹ電極と、前記透明Ｘ電極と前記透明Ｙ電極それぞれのギャップ側端部に接すべく配されて不透明なＸ遮光層及びＹ遮光層と、前記前面基板の裏面と前記Ｘ、Ｙ電極と前記Ｘ、Ｙ遮光層を覆う第１誘電体層と、前記各放電セル毎に赤色、緑色及び青色可視光線のうち、何れか１つを発生させる赤色、緑色、青色蛍光体層と、前記放電セル内に充填された放電ガスと、を備える。この場合、前記赤色蛍光体層が塗布された赤色放電セル、前記緑色蛍光体層が塗布された緑色放電セル、及び前記青色蛍光体層が塗布された青色放電セルの内部に各々配されたＸ、Ｙ遮光層はその長さが相異なる。
【発明の効果】
【００２６】
本発明によれば、Ｘ、Ｙ遮光層が、維持放電中に保護膜の破損を肉眼で観察させないことによって、永久残像が発生しなくなり、結果的にＰＤＰの画質感が優秀になる。
【００２７】
また、本発明によれば、放電セル内でのＸ、Ｙ遮光層の幅を異ならせて輝度を調節することによって、維持放電数を調節せずとも、白色の色温度を簡単に調節しうる。
【発明を実施するための最良の形態】
【００２８】
以下、添付した図面に基づいて本発明の実施の形態を詳細に説明する。
【００２９】
図１及び図２に示すように、本実施の形態に係るＰＤＰ１００は、前面基板１１２、背面基板１２２、維持電極対１１３、第１誘電体層１１８、蛍光体層１３５、アドレス電極１２５、隔壁１３１及び放電ガス（図示せず）を備える。
【００３０】
放電セル内の可視光線が通過して画像が投影されるように透明な前面基板１１２は、背面基板１２２の前方（図１に矢示するｚ方向）で背面基板１２２と平行に配される。前面基板１１２はガラスのように透光性に優れた材料より形成され、これを通じて可視光線が外部に放出される。通常、背面基板１２２もガラスを主成分とする材料より形成される。
【００３１】
前記前面基板１１２の後方（ｚ方向と反対の方向）には、Ｘ電極１１４とＹ電極１１５とが対をなして配された維持電極対１１３が形成される。
【００３２】
前面基板１１２の維持電極対１１３が配された面に対向する背面基板１２２の前方には、アドレス電極１２３が形成されている。このアドレス電極１２３は、Ｙ電極１１５と共にアドレス放電を発生させる機能を持つ。
【００３３】
この場合、維持電極対１１３は一方向（図１に矢示するｘ方向）にサブピクセルを横切って延び、アドレス電極１２３は維持電極対１１３と交差する方向（図２のｙ方向）に放電セルを横切って延びている。
【００３４】
通常、Ｘ電極１１４は、透明Ｘ電極１１４ａとバスＸ電極１１４ｂよりなり、Ｙ電極１１５は、透明Ｙ電極１１５ａとバスＹ電極１１５ｂとよりなる。透明Ｘ電極１１４ａ及び透明Ｙ電極１１５ａは、ＩＴＯ（Indium Tin Oxide）よりなる透明な電極であり、バスＸ電極１１４ｂ及びバスＹ電極１１５ｂは、前記透明Ｘ電極１１４ａ及び透明Ｙ電極１１５ａの背面に形成されて前記透明Ｘ電極１１４ａ及び透明Ｙ電極１１５ａの電極ライン抵抗を減らすためのものであって、例えば、金属材質よりなる。本発明はこれに限定されるものではなく、Ｘ電極１１４及びＹ電極１１５が透明Ｘ電極１１４ａ及び透明Ｙ電極１１５ａのみよりなることも可能である。
【００３５】
このように維持電極対１１３が備わった前面基板１１２の後方には、Ｘ電極１１４、Ｙ電極１１５及び前面基板１１２を埋め込むように第１誘電体層１１８が配される。このようにアドレス電極１２３及び背面基板１２２は、第２誘電体層１２８によって覆われることが望ましい。
【００３６】
第１誘電体層１１８及び第２誘電体層１２８は、各々放電時に陽イオンまたは電子が維持電極対１１３及びアドレス電極１２３に衝突して電極を損傷させることを防止しつつも、電荷を誘導できる誘電体で形成される。
【００３７】
第１誘電体層１１８の背面には保護膜１１９が形成されることが望ましい。この保護膜１１９は、プラズマ粒子のスパッタリングによる誘電体層の損傷を防止し、２次電子放出によって放電電圧及び維持電圧を低める役割をものであって、  一般的に蒸着によるＭｇＯ膜が用いられている。
【００３８】
前記前面基板１１２と背面基板１２２との間には隔壁１３１が配される。この隔壁は、前面基板１１２及び背面基板１２２と共に放電セルＣを区画し、放電セルＣ間の誤放電を発生を防止する。
【００３９】
この放電セルＣ内には、蛍光体層１３５が塗布される。この蛍光体層１３５は、維持放電によって発生する紫外線との衝突によって可視光線を励起させて外部に放出させる機能を行う。
【００４０】
前記放電セルＣ内に充電される放電ガスは、Ｘｅ−Ｎｅ、Ｘｅ−Ｈｅ、Ｘｅ−Ｎｅ−Ｈｅなどのペニング混合ガス（penning mixture）を使用している。Ｘｅを主放電ガスとして用いる理由は、前記Ｘｅが化学的に安定した不活性ガス（inert gas）であるために、放電によって解離されず、原子番号が大きいために、励起電圧が低下し、発光する光波長が長くなるからである。ＨｅやＮｅをバッファガスとして利用する理由は、Ｘｅによるパンニング効果による電圧減少効果及び高圧力化によるスパッタリング効果が低減するからである。前記主放電ガスは、Ｘｅ以外にもＫｒなどの希ガスを使用しうる。
【００４１】
このような構造を有するＰＤＰの作動は次の通りである。アドレス電極１２３とＹ電極１１５に所定の電圧が印加されれば、発光のための放電セルが選択され、二電極１１５、１２３間でアドレス放電が起こり、第１誘電体層１１８上に壁電荷が充電される。その後、Ｘ電極１１４とＹ電極１１５との間に所定の電圧が交互に印加されれば、この二電極１１４、１１５間で壁電荷が移動しつつ、放電ガスをして維持放電を起こさせ、これにより放電ガスが紫外線を発生させ、この発生した紫外線が蛍光体１３５を励起させて画像を形成する。
【００４２】
ＰＤＰの作動をさらに詳細に説明すれば、まず維持電極対１１３とアドレス電極１２３に１５０Ｖ〜３００Ｖの放電開始電圧が供給されれば、該当放電空間の内部面に壁電荷が形成される。
【００４３】
その後、発光が選択された放電セル内のＹ電極１１５と該当アドレス電極１２３にアドレス放電電圧が供給されれば、前記Ｙ電極１１５と該当アドレス電極１２３との間のアドレス放電が起こる。その後、該当Ｙ電極１１５とＸ電極１１４に、１５０Ｖ以上の維持放電電圧が交互に供給されれば、維持放電が起きて任意の放電セルの発光が一定時間保持される。すなわち、放電セル内で電界が発生して放電ガス中の微量電子が加速され、加速された電子とガス中の中性粒子とが衝突して電子とイオンとに電離され、前記電離された電子と中性粒子とのさらなる衝突などによって中性粒子が次第に速く電子とイオンとに電離されて放電ガスがプラズマ状態になると同時に、真空紫外線（ＵＶ）が発生する。
【００４４】
前記発生した紫外線が蛍光体１３５を励起させて可視光線を発生させ、発生した可視光線は、前面基板１１２を通じて外部に出射されれば、外部から任意の放電セルの発光、すなわち、画像表示を認識可能となる。
【００４５】
ところで、前述したように、１つの放電セルＣ内に平行に形成された透明Ｘ電極１１４ａ及び透明Ｙ電極１１５ａ間のギャップＧで維持放電がさらに発生することによって、放電セルの中央部に保護膜１１９の損傷Ｆが発生し、結果的に、放電セル中央部の発光効率が落ちるために、永久残像の発生を防止する必要がある。
【００４６】
従って、本発明では、前記透明Ｘ電極１１４ａのうち、ギャップ側端部に接すべく配されるＸ遮光層１１６及び前記透明Ｙ電極１１５ａのうち、ギャップ側端部に接すべく配されるＹ遮光層１１７が備わる。このＸ、Ｙ遮光層１１６、１１７は、不透明な材料からなって、外部からの保護膜１１９の破損を防止する。これは結果的にＸ、Ｙ遮光層１１６、１１７が放電セルの中央側で発生する永久残像を防止する機能を行うようになる。
【００４７】
このＸ、Ｙ遮光層１１６、１１７は、導電性を有する材料よりなることが望ましいが、それは前記Ｘ、Ｙ遮光層１１６、１１７が透明Ｘ、Ｙ電極１１４ａ、１１５ａと接すべく形成されるためである。すなわち、前記Ｘ、Ｙ遮光層１１６、１１７が不導体からなるならば、透明Ｘ、Ｙ電極１１４ａ、１１５ａ間に発生する維持放電を妨害し、これによって十分な維持放電が発生しなくなり、これを補償するためには、高い維持電圧が必要となって、結果的にパネルの効率が低下するからである。
【００４８】
一方、前述したように前記Ｘ電極１１４が、前記透明Ｘ電極１１４ａの裏面の一側に配されたバスＸ電極１１４ｂを備え、前記Ｙ電極１１５ａが、前記透明Ｙ電極１１５ａの裏面の一側にバスＹ電極１１５ｂをさらに備うえる。この場合、このＸ遮光層１１６は、前記透明Ｘ電極１１４ａのギャップ側端部の裏面に積層され、前記Ｙ遮光層１１７は前記透明Ｙ電極１１４ａのギャップ側端部の裏面に積層されることが望ましい。
【００４９】
これは、前記Ｘ遮光層１１６及びＹ遮光層１１７は各々前記バスＸ電極１１４ｂ及びバスＹ電極１１５ｂと同じ素材より形成し、バスＸ、Ｙ電極１１４ｂ、１１５ｂの製造工程時にＸ、Ｙ遮光層１１６、１１７を同時に製作できるからである。すなわち、バスＸ、Ｙ電極１１４ｂ、１１５ｂが透明Ｘ、Ｙ電極１１４ａ、１１５ａのライン抵抗を補償するための電極として導電性物質よりなることによって、この導電性物質をＸ、Ｙ遮光層１１６、１１７の素材として使用しうる。また、例えば、マスクを使用してバスＸ、Ｙ電極１１４ｂ、１１５ｂを塗布する場合に、マスクのバスＸ、Ｙ電極１１４ｂ、１１５ｂだけでなく、前記Ｘ、Ｙ遮光層１１６、１１７が形成される必要がある部分に開口部を形成させた後、このマスクを前面基板１１２と噴霧ノズルとの間に配置させた後、このバスＸ、Ｙ電極素材を噴霧するならば、簡便にＸ、Ｙ遮光層１１６、１１７を形成できるからである。
【００５０】
これとは違って、前記Ｘ電極１１４がバスＸ電極１１４ｂを備えず、伝導性を有するＸ遮光層１１６がＸ電極を駆動する駆動部に連結されて前記バスＸ電極１１４ｂの機能を同時に行える。また、前記Ｙ電極１１５がバスＹ電極１１５ｂを備えず、伝導性を有するＹ遮光層１１７がＹ電極を駆動する駆動部に連結されて前記バスＹ電極１１５ｂの機能を同時に行える。
【００５１】
一方、図３ないし図５に示されたように、前記蛍光体層１３５は、発散する可視光線の色相によって赤色蛍光体層１３５ｒ、緑色蛍光体層１３５ｇ及び青色蛍光体層１３５ｂに大別されうる。前記赤色蛍光体層１３５ｒは、Ｙ（Ｖ、Ｐ）Ｏ４：Ｅｕのような蛍光体を含んで形成され、緑色蛍光体層１３５ｇは、Ｚｎ２ＳｉＯ４：Ｍｎ、ＹＢＯ３：Ｔｂのような蛍光体を含んで形成され、青色蛍光体層１３５ｂはＢＡＭ：Ｅｕのような蛍光体を含んで形成されうる。
【００５２】
前記赤色蛍光体層１３５ｒが配された赤色放電セル（Ｃｒ）は赤色サブピクセルとして、緑色蛍光体層１３５ｇが配された緑色放電セル（Ｃｇ）は緑色サブピクセルとして、青色蛍光体層１３５ｂが配された青色放電セル（Ｃｂ）は青色サブピクセルとして、各々機能を行うが、前記赤色サブピクセル、緑色サブピクセル及び、青色サブピクセルは、一組をなして単位ピクセルを構成することによって、３原色の組合わせによる色相を表現する。
【００５３】
さらに詳述すれば、前記赤、緑、青色蛍光体層１３５ｒ、１３５ｇ、１３５ｂから各々発散されうる赤、緑、青色光の輝度を複数段階、例えば、２５６段階の階調に各々細分化し、このように細分化された赤、緑、青色光を複数の組合わせで加算混合すれば、単位ピクセルから１６，７７０，０００色相が表現可能になる。この場合、赤（Ｒ）、緑（Ｇ）、青（Ｂ）の階調が、例えば２５６階調であれば、ＲＧＢの階調が全て０階調である場合には、黒色表示が行なわれ、赤、緑、青の階調が全て２５６階調である場合には、白色表示が行なわれる。また、ＲＧＢの階調が２５６階調を満たすことはできないが、何れも同じ場合には輝度の低い白色表示（グレー）が表示される。
【００５４】
一般的に、３原色で形成される白色の色温度は、例えば９，０００Ｋないし１０，０００Ｋの場合が東洋人に適すると評価されるように、それぞれの条件に応じて最適の色温度に設定されることが望ましい。
【００５５】
一般的に、色温度とは、物体が可視光線を出して輝いている時、その色が如何なる温度の黒体が輻射する色と同一に見える場合、その温度を示す。すなわち、物体の色温度は、同じ色光の黒体の温度（絶対温度Ｋ）で表示される。
【００５６】
したがって、それぞれの放電セルでの輝度が変更されるならば、これにより白色の色温度も変わる。本発明では、赤色、緑色、青色放電セルＣｒ、Ｃｇ、Ｃｂ内で維持放電の数を同一にすると同時に、最適の色温度を調節するためにＸ、Ｙ遮光層１１６、１１７の幅を赤色、緑色、青色放電セルＣｒ、Ｃｇ、Ｃｂ毎に異ならせる。
【００５７】
Ｘ、Ｙ遮光層１１６、１１７が形成されることによって、放電セルＣの内部から外部への放出光量が減少し、これによって放電セルＣでの輝度が低下するからである。したがって、Ｘ、Ｙ遮光層１１６、１１７の幅によってそれぞれの放電セルＣでの輝度が変わり、結果的に色温度を簡単に調節しうる。
【００５８】
従来の通常の白色の色温度は、６５００Ｋ程度である。したがって、東洋人に適した色温度である９０００Ｋの白色の色温度に調節するためには、青色放電セルＣｂでの輝度を最も高め、赤色放電セルＣｒでの輝度を最も低める必要がある。
【００５９】
したがって、図３ないし図６に示されたように、前記赤色放電セル内に配されたＸ、Ｙ遮光層の幅Ｗｒ、前記緑色放電セル内に配されたＸ、Ｙ遮光層の幅Ｗｇ、前記青色放電セル内に配されたＸ、Ｙ遮光層の幅Ｗｂの順に形成することが望ましい。
【００６０】
一方、Ｘ、Ｙ遮光層１１６、１１７の幅が必要以上に大きくなれば、輝度自体が小さくなって効率面で不利になるので、青色放電セルＣｂ内に配されたＸ、Ｙ遮光層の幅Ｗｂは、最長５０μｍ以下であり、前記赤色放電セル内に配されたＸ、Ｙ遮光層の幅Ｗｒは最長１２０μｍ以下であることが望ましい。
【００６１】
本発明は、前記実施例に限定されず、特許請求の範囲で定義された発明の思想及び範囲内で当業者によって変形及び改良が可能である。
【産業上の利用可能性】
【００６２】
本発明は、プラズマディスプレイパネルに関連した技術分野に好適に適用されうる。
【図面の簡単な説明】
【００６３】
【図１】本発明の実施の形態に係るＰＤＰを示す分離斜視図である。
【図２】図１のIII−III線の断面図である。
【図３】図１における青色放電セルを示す断面図である。
【図４】図１における緑色放電セルを示す断面図である。
【図５】図１における赤色放電セルを示す断面図である。
【図６】図１の維持放電セル及びＸ、Ｙ遮光層を後方から示す平面図である。
【図７】従来のＰＤＰの１つの放電セルを示す断面図である。
【符号の説明】
【００６４】
１００  ＰＤＰ
１１２  前面基板
１１３  維持電極対
１１４  Ｘ電極
１１４ａ  透明Ｘ電極
１１４ｂ  バスＸ電極
１１５  Ｙ電極
１１５ａ  透明Ｙ電極
１１５ｂ  バスＹ電極
１１８  第１誘電体層
１１９  保護膜
１２２  背面基板
１２３  アドレス電極
１２８  第２誘電体層
１３１  隔壁
１３５  蛍光体層
【図１】
2006114479.tif 000003
【図２】
2006114479.tif 000004
【図３】
2006114479.tif 000005
【図４】
2006114479.tif 000006
【図５】
2006114479.tif 000007
【図６】
2006114479.tif 000008
【図７】
2006114479.tif 000009